(57)【要約】  本発明は、枠体（１２）の上面開口部（１２ａ）に、この上面開口部（１２ａ）を覆う金属製の上面カバー（２９）を装着し、この上面カバー（２９）のセンサ挿入口（２１）側部分には枠体（１２）に設けた折曲片挿入口（１２ｇ）に挿入される折曲片（２９ａ）を設ける。さらに、この上面カバー（２９）の、枠体（１２）のセンサ挿入口（２１）を設けた辺につながる左右の辺に対向する部分に、この左右の枠体（１２）の外方をこの枠体（１２）の上面から下面に向けて伸ばしたアース接続片（２９ｂ）を設ける。
2013183281.tif 000002
【特許請求の範囲】
【請求項１】
合成樹脂で形成され、かつ上面開口部と下面開口部を有する四角形の枠体と、前記枠体の一辺の前記上面開口部と前記下面開口部の間に設けられ、後端が前記枠体の外側に引き出され、中部が前記枠体に埋設され、先端が前記枠体の内側に配設された接続端子と、前記枠体の前記一辺に対向する他辺の前記上面開口部と下面開口部の間に設けられたセンサ挿入口とを備え、
前記上面開口部には、前記上面開口部を覆う金属製の上面カバーを装着し、前記上面カバーの前記センサ挿入口側部分には前記枠体の前記他辺に設けた折曲片挿入口に挿入される折曲片を設け、前記上面カバーの、前記枠体の前記一辺と前記他辺をつなぐ左右の辺に対向する部分には、前記左右の辺の外方には前記枠体の上面から下面に向けて伸ばしたアース接続片を設けた生体情報測定用コネクタ。
【請求項２】
前記枠体の前記一辺には、複数の前記接続端子を、所定間隔離して配置した請求項１に記載の生体情報測定用コネクタ。
【請求項３】
前記枠体の前記左右の辺の前記上面開口部と下面開口部の間の内側面を、センサ挿入ガイド面とした請求項１または２のいずれか一項に記載の生体情報測定用コネクタ。
【請求項４】
前記上面カバーの上面部分には、実装ノズル吸着部を設けた請求項１または２のいずれか一項に記載の生体情報測定用コネクタ。
【請求項５】
前記上面カバーの色と前記枠体の色を異ならせた請求項４に記載の生体情報測定用コネクタ。
【請求項６】
前記枠体の前記下面開口部には、動作確認用カバーを設けた請求項１または２のいずれか一項に記載の生体情報測定用コネクタ。
【請求項７】
センサ装着部を有する本体ケースと、前記本体ケースの前記センサ装着部内方に設けた請求項１または２のいずれか一項に記載の生体情報測定用コネクタを備えた生体情報測定装置。
【請求項８】
前記本体ケースの前記センサ装着部内方に、接続基板を設けるとともに、この接続基板上に前記生体情報測定用コネクタを配置し、前記生体情報測定用コネクタの下面開口部に対向する前記接続基板上には、導電パターンを配置した請求項７に記載の生体情報測定装置。
【請求項９】
前記導電パターンは、複数の前記接続端子に対して個々に当接するように分割した請求項８に記載の生体情報測定装置。
【請求項１０】
前記接続基板上には、前記上面カバーのアース接続部が当接するアースパターンを設けた請求項７に記載の生体情報測定装置。
【発明の詳細な説明】
【技術分野】
【０００１】
本発明は、たとえば血液中から血糖値のような生体情報を測定する生体情報測定用コネクタと、それを用いた生体情報測定装置に関するものである。
【背景技術】
【０００２】
従来のこの種、生体情報測定装置は、センサ装着部を有する本体ケースと、この本体ケースのセンサ装着部内方に設けた生体情報測定用コネクタとを備えていた。【０００３】
また、生体情報測定用コネクタは、合成樹脂で形成され、かつ上面開口部と下面開口部を有する四角形の枠体を有する。そして、この枠体の一辺の上面開口部と下面開口部の間には、後端が枠体の外側に引き出され、中部が枠体に埋設され、先端が枠体の内側に配設された接続端子を、設けている。さらに、枠体の一辺に対向する他辺の上面開口部と下面開口部の間に設けられたセンサ挿入口とを備える。そして、生体情報測定用コネクタは、本体ケース内の接続基板上に実装されている（例えば、特許文献１参照）。【０００４】
そして、この生体情報測定装置の本体ケースに設けたセンサ装着部からセンサを挿入すれば、センサは本体ケースの内方に設けた生体情報測定用コネクタの接続端子と電気的に接続される。【０００５】
この生体情報測定用コネクタは、接続端子を合成樹脂で形成された枠体と一体成型する。そして、枠体の樹脂成型をする際には、接続端子の位置決めのため、および接続端子の先端が樹脂に埋設されないために、接続端子を上下から金型で保持するため、枠体が上面開口部と下面開口部を有することになる。【０００６】
しかしながら、枠体に上面開口部が存在すると、この生体情報測定用コネクタの保管時、あるいは、この生体情報測定用コネクタを、生体情報測定装置の接続基板上に実装する時に、上面開口部を介して接続端子部分に異物が侵入する。その結果として、接続端子とセンサとの接続不良が発生する惧れがあった。
【先行技術文献】
【特許文献】
【０００７】
【特許文献１】特表２００３−５１３２７９号公報
【発明の概要】
【０００８】
本発明は、合成樹脂で形成され、かつ上面開口部と下面開口部を有する四角形の枠体と、この枠体の一辺の上面開口部と下面開口部の間に設けられ、後端が枠体の外側に引き出され、中部が枠体に埋設され、先端が枠体の内側に配設された接続端子を備える。また、枠体の一辺に対向する他辺の上面開口部と下面開口部の間において設けられたセンサ挿入口を備える。枠体の上面開口部には、この上面開口部を覆う金属製の上面カバーを装着し、この上面カバーのセンサ挿入口側部分には枠体の他辺に設けた折曲片挿入口に挿入される折曲片を設け、この上面カバーの、枠体の左右の辺に対向する部分には、この左右の枠体の外方をこの枠体の上面から下面に向けて伸ばしたアース接続片を設けた構成とする。
【０００９】
本発明は、上面開口部を覆う金属製の上面カバーを装着したので、生体情報測定用コネクタの保管時、あるいは、この生体情報測定用コネクタを生体情報測定装置の接続基板上に実装する時に、上面開口部を介して接続端子部分に異物が侵入することがない。その結果、接続端子とセンサとの接続不良の発生を防止することができる。
【００１０】
さらに、本発明は、上面カバーのセンサ挿入口側部分には枠体の他辺に設けた折曲片挿入口に挿入される折曲片を設け、この上面カバーの、枠体の左右の辺に対向する部分に、この左右の枠体の外方をこの枠体の上面から下面に向けて伸ばしたアース接続片を設けたので、静電気による損傷を防止することができる。
【００１１】
つまり、生体情報の測定時には、センサがセンサ挿入口から枠体内に挿入され、その後、接続端子に接続されるが、このセンサを持つ人体が高電圧に帯電しているとセンサを介して接続端子、あるいは接続端子に接続される測定部などに静電気が流れる可能性がある。その結果、測定部などを損傷させてしまう惧れがある。
【００１２】
しかしながら、本発明によれば、上面カバーのセンサ挿入口側部分には枠体の他辺に設けた折曲片挿入口に挿入される折曲片を設け、この上面カバーの、枠体の左右の辺に対向する部分に、この左右の枠体の外方をこの枠体の上面から下面に向けて伸ばしたアース接続片を設けた構成としている。このため、センサをセンサ挿入口に挿入する時に、その高電圧は枠体の折曲片挿入口部分から、この折曲片挿入口に挿入された上面カバーの折曲片を介して、この上面カバーのアース接続片へと静電気が流れることとなる。
【００１３】
その結果、静電気がセンサを介して接続端子、あるいは接続端子に接続される測定部などに流れることはなく、これにより各部の損傷を防止することができるのである。
【図面の簡単な説明】
【００１４】
【図１】図１は、本発明の第１の実施の形態における生体情報測定装置の斜視図である。
【図２】図２は、本発明の第１の実施の形態における生体情報測定装置のブロック図である。
【図３】図３は、本発明の第１の実施の形態における生体情報測定装置に用いる生体情報測定用コネクタの斜視図である。
【図４】図４は、本発明の第１の実施の形態における生体情報測定用コネクタの断面図である。
【図５】図５は、本発明の第１の実施の形態における生体情報測定用コネクタの分解斜視図である。
【図６】図６は、本発明の第１の実施の形態における生体情報測定用コネクタの平面図である。
【図７】図７は、本発明の第１の実施の形態における生体情報測定用コネクタの背面図である。
【図８】図８は、本発明の第１の実施の形態における生体情報測定用コネクタに挿入するセンサの斜視図である。
【図９】図９は、本発明の第１の実施の形態における生体情報測定用コネクタの要部断面図である。
【図１０】図１０は、本発明の第２の実施の形態における生体情報測定装置に用いる生体情報測定用コネクタの分解斜視図である。
【図１１】図１１は、本発明の第３の実施の形態における生体情報測定装置に用いる生体情報測定用コネクタの分解斜視図である。
【図１２】図１２は、本発明の第４の実施の形態における生体情報測定用コネクタの斜視図である。
【図１３】図１３は、本発明の第４の実施の形態における生体情報測定用コネクタの背面図である。
【図１４】図１４は、本発明の第４の実施の形態における生体情報測定用コネクタの分解斜視図である。
【発明を実施するための形態】
【００１５】
以下、本発明の実施の形態を、添付図面を用いて説明する。なお、本発明は以下の実施の形態によってその構成を限定されるものではない。
【００１６】
（第１の実施の形態）
図１において、生体情報測定装置の一例である、血液中から血糖値を測定する測定器の本体ケース１は、ほぼ直方体形状に形成されている。本体ケース１の一端側には、生体情報測定センサの一例である、血糖値センサ２を挿入するセンサ装着部３が設けられている。また本体ケース１の上面には、表示部４、電源スイッチ５が設けられている。
【００１７】
本体ケース１の内部には、図２に示すように、センサ装着部３に電気的に接続された測定部６と、この測定部６に接続された制御部７が配置されている。この制御部７には、表示部４、電源スイッチ５、電池８が接続され、さらに、この制御部７の制御プログラムが記録されたＲＯＭからなるメモリ９が接続されている。このメモリ９には、測定部６の測定手順も記憶されている。また、制御部７には、制御部７による作業の一時的な記憶部として、一時記憶部１０が接続されている。
【００１８】
本体ケース１内のセンサ装着部３後方側には、図３〜図５に示す生体情報測定用コネクタ１１が配置されている。
【００１９】
この生体情報測定用コネクタ１１は、図５に示すように、合成樹脂で形成され、かつ長方形状の上面開口部１２ａと長方形状の下面開口部１２ｂを有する四角形の枠体１２を有する。この枠体１２の一辺１２ｃの上面開口部１２ａと下面開口部１２ｂの間において、後端が枠体１２の外側に引き出され、中部が枠体１２に埋設され、先端が枠体１２の内側に配設された複数の接続端子１３〜２０を備えている。
【００２０】
さらに生体情報測定用コネクタ１１は、枠体１２の一辺１２ｃに対向する他辺１２ｄの上面開口部１２ａと下面開口部１２ｂの間には、横長形状のセンサ挿入口２１を備えている。このセンサ挿入口２１は、板状の血糖値センサ２を挿入するため、および水や埃の侵入防止のために横長形状をした貫通孔となっている。
【００２１】
また、この図５に示すように、枠体１２の中央部は長方形状の上面開口部１２ａから長方形状の下面開口部１２ｂにかけて貫通しており、ここに薄板状の空間が形成されている。この上面開口部１２ａと下面開口部１２ｂを利用して、枠体１２は、上下金型（図示せず）により接続端子１３〜２０とセンサ挿入口２１とともに一体成型される。
【００２２】
具体的には、下金型（図示せず）上に接続端子１３〜２０を水平方向に所定間隔離した状態で配置し、その状態で上金型（図示せず）を被せ、その状態で、これらの上下金型内に合成樹脂を注入すれば、図３〜図５に示した枠体１２が一体形成される。
【００２３】
つまり、接続端子１３〜２０と枠体１２を一体成型するためには、上面開口部１２ａと下面開口部１２ｂを有する四角形の枠体１２を用いることが必要となっている。
【００２４】
そしてこのように形成された枠体１２の一辺１２ｃ側には、接続端子１３〜２０が水平方向に所定間隔離した状態で、この枠体１２の一辺１２ｃにその中部が埋設された状態となる。この時、各々の接続端子１３〜２０の後端は、枠体１２の一辺１２ｃの外側へと引き出され、先端は枠体１２の内側へと引き出される。
【００２５】
接続端子１３〜２０とセンサ挿入口２１が一体成型された枠体１２において、センサ挿入口２１を設けた他辺１２ｄは、このセンサ挿入口２１の左右の位置で、枠体１２の左右の辺１２ｅ、１２ｆに接続されている。この枠体１２の左右の辺１２ｅ、１２ｆは、上面開口部１２ａと下面開口部１２ｂの間の内面側を、センサ挿入ガイド面２２としている。
【００２６】
このセンサ挿入ガイド面２２は、図６に示すように、センサ挿入口２１の幅と同じ幅としている。つまり、図１の血糖値センサ２の後端側をセンサ挿入口２１から挿入すれば、この血糖値センサ２の左右の長辺は、左右のセンサ挿入ガイド面２２にガイドされて後方へと導かれることになる。
【００２７】
血糖値センサ２は、図８に示すように、接続電極２３〜２８を備えている。このため、血糖値センサ２の後端側をセンサ挿入口２１から挿入すれば、その接続電極２３は、図６に示す接続端子２０に接続され、また、接続電極２４の後端側は接続端子１９に接続され、この接続電極２４の先端側は接続端子１８に接続される。
【００２８】
接続電極２５には接続端子１６が接続され、接続電極２６には接続端子１７が接続されるようになっている。接続電極２７の後端側には接続端子１４が接続され、さらにこの接続電極２７の先端側には接続端子１５が接続され、さらにまた、接続電極２８には接続端子１３が接続されるようになっている。
【００２９】
ここで重要なことは、図８に示すように、血糖値センサ２の後端側に複数の接続電極２３〜２８が隣接状態で配置されているものに対して、上述のごとく、各々の接続端子１３〜２０を適切に接続することである。
【００３０】
そこで本実施の形態においては、接続端子１３〜２０を一体化した枠体１２にセンサ挿入口２１を一体的に設けると共に、その左右にセンサ挿入ガイド面２２を設けた。このため、血糖値センサ２の後端側をセンサ挿入口２１に挿入すれば、この血糖値センサ２の後端側は左右のセンサ挿入ガイド面２２にガイドされ、適切に後方へとガイドされる。
【００３１】
その結果として、血糖値センサ２の接続電極２３〜２８を、接続端子１３〜２０に適切に接続することができる。
【００３２】
なお、このような枠体１２を形成するのに際しては、上金型と下金型の当接面をセンサ挿入ガイド面２２の下方に設けている。つまり、上金型と下金型の当接面には、パーティングラインという筋が形成されるので、このパーティングラインをセンサ挿入ガイド面２２の下方とする。このことで、血糖値センサ２の挿入時にパーティングラインが血糖値センサ２の左右の長辺に当接することがないようにしている。
【００３３】
すなわち、このパーティングラインに血糖値センサ２の左右の長辺が触れる状態で後方へと挿入されると、せっかくセンサ挿入ガイド面２２を設けたにも関わらず、血糖値センサ２を後方へと適切に挿入することができなくなる。そこで、上述のごとく、このパーティングラインをセンサ挿入ガイド面２２の下方に配置することとした。
【００３４】
なお、枠体１２に上面開口部１２ａが存在すると、この生体情報測定用コネクタ１１の保管時、あるいは、この生体情報測定用コネクタ１１を、生体情報測定装置の接続基板３０上に実装する時に、上面開口部１２ａを介して接続端子１３〜２０部分に異物が侵入する。その結果、接続端子１３〜２０と血糖値センサ２との接続不良が発生する惧れがあった。
【００３５】
そこで、本実施の形態においては、図５に示すように、枠体１２の上面開口部１２ａに、この上面開口部１２ａの全面を覆う金属製の上面カバー２９を装着した。このことにより、生体情報測定用コネクタ１１の保管時、あるいは、この生体情報測定用コネクタ１１を、生体情報測定装置の接続基板３０上に実装する時に、上面開口部１２ａを介して接続端子１３〜２０部分に異物が侵入することがない。その結果として、接続端子１３〜２０と血糖値センサ２との接続不良の発生を防止することができるものとなる。
【００３６】
さらに、上面カバー２９のセンサ挿入口２１側には、図４、図５、図９に示すように、枠体１２の他辺１２ｄに設けた折曲片挿入口１２ｇに挿入される折曲片２９ａを設けている。この折曲片２９ａは、上面カバー２９の端部を下方に折り曲げて形成している。
【００３７】
この折曲片２９ａは、図４、図９に示すように、センサ挿入口２１の上面に設けられた折曲片挿入口１２ｇに挿入する。折曲片挿入口１２ｇは、横長形状のセンサ挿入口２１の上面側に設けている。
【００３８】
この折曲片挿入口１２ｇに、上面カバー２９を折り曲げて形成した折曲片２９ａを挿入すれば、図９に示すように、この折曲片２９ａのスプリングバックにより、折曲片２９ａはセンサ挿入口２１の上にある折曲片挿入口１２ｇの内面に圧接された状態となる。
【００３９】
また、上面カバー２９の、枠体１２の左右の辺１２ｅ、１２ｆに対向する部分には、図５に示すように、枠体１２の左右の辺１２ｅ、１２ｆの外方を、この枠体１２の上面から下面に向けて伸ばしたアース接続片２９ｂを折曲げにより設けた構成とした。そして、このアース接続片２９ｂは、接続基板３０の導電パターン３１から左右に突出させたアースパターン３１ａに当接し、その後導電性接着剤によって電気的、機械的に接続されるようになっている。
【００４０】
このため、生体情報の測定において、血糖値センサ２がセンサ挿入口２１から枠体１２内に挿入される時に、静電気によって接続端子１３〜２０、あるいは接続端子１３〜２０に接続される測定部６などが損傷されることがなくなる。
【００４１】
つまり、生体情報の測定において、血糖値センサ２がセンサ挿入口２１から枠体１２内に挿入され、その後、接続端子１３〜２０に接続されることになる。しかし、この血糖値センサ２を持つ人体が高電圧に帯電していると血糖値センサ２を介して接続端子１３〜２０、あるいは接続端子１３〜２０に接続される測定部６などに静電気が流れて、それらを損傷させてしまう惧れがある。
【００４２】
しかしながら、本実施の形態によれば、上面カバー２９のセンサ挿入口２１側部分には枠体１２の他辺１２ｄに設けた折曲片挿入口１２ｇに挿入される折曲片２９ａを設ける。さらにこの上面カバー２９の、枠体１２の左右の辺１２ｅ、１２ｆに対向する部分には、この枠体１２の左右の辺１２ｅ、１２ｆの外方をこの枠体１２の上面から下面に向けて伸ばしたアース接続片２９ｂを設ける。また、アース接続片２９ｂは、接続基板３０の導電パターン３１から左右に突出させたアースパターン３１ａに導電性接着剤によって電気的、機械的に接続される。また、導電パターン３１はアースラインに接続している。
【００４３】
このため、血糖値センサ２をセンサ挿入口２１に挿入する時に、枠体１２の折曲片挿入口１２ｇ部分から、この折曲片挿入口１２ｇに挿入された上面カバー２９の折曲片２９ａを介して、この上面カバー２９のアース接続片２９ｂ、アースパターン３１ａへと静電気が流れることとなる。
【００４４】
その結果、静電気が血糖値センサ２を介して接続端子１３〜２０、あるいは接続端子１３〜２０に接続される測定部６などに流れることはなく、これにより各部の損傷を防止することができる。
【００４５】
なお、枠体１２は合成樹脂で形成されたものであるので、一般的には絶縁性を示すが、上述した静電気のような高電圧に対しては電流を流すことができ、それにより血糖値センサ２、枠体１２、折曲片２９ａ、上面カバー２９、アース接続片２９ｂ、アースパターン３１ａへと静電気を流すことができる。
【００４６】
また、本実施の形態においては、アースパターン３１ａを導電パターン３１と一体で形成したが、これらのアースパターン３１ａと導電パターン３１は、別体として接続基板３０上に形成してもよい。
【００４７】
さらに本実施の形態において、金属製の上面カバー２９は、その上面を平面とすることにより、この上面カバー２９の上面側を実装ノズル（図示せず）の吸着部としている。このため本実施の形態の生体情報測定用コネクタ１１は実装ノズル（図示せず）で吸着することができ、実装機によって接続基板３０上に実装することができるものとなる。
【００４８】
さらにまた、上面カバー２９を銀色の金属製とし、枠体１２を黒色の合成樹脂で構成することにより、上面カバー２９と枠体１２の色と光の反射率を異なるものとしている。さらに、上面カバー２９の上面（つまり実装ノズル吸着部）は、図３に示すように枠体１２の上面よりも小さくし、上面カバー２９の上面の周辺部を枠体１２の上面が覆うようにした。このため、銀色の実装ノズル吸着部が黒色の枠体１２に囲まれることとなり、実装ノズルを制御する制御部（図示せず）が、例えば画像処理により実装ノズル吸着部の位置を判断するものである場合、実装ノズル吸着部の位置が認識しやすい。
【００４９】
また、本実施の形態においては、図５に示すように、枠体１２が実装された接続基板３０上で、枠体１２の下面開口部１２ｂに対向する上面には、導電パターン３１が設けられている。この導電パターン３１は、たとえば金メッキで形成されており、図４に示すように、血糖値センサ２がセンサ挿入口２１から挿入される前の状態においては、接続端子１３〜２０の先端側が全てこの導電パターン３１に当接された状態となっている。
【００５０】
このため、この図４の状態において、各々の接続端子１３〜２０が下方へと付勢されているか否かを判定することができる。そのために導電パターン３１はアースラインに接続し、例えば、接続端子１３の後端側に信号を加えれば、接続端子１３から導電パターン３１へと信号が流れることになるので、これにより接続端子１３が下方へと適切に付勢されていることを判定することができる。
【００５１】
例えば、付勢判定基準として、接触抵抗が５０ｍΩ未満であれば接続端子１３〜２０が導電パターン３１に正常に接触していると判定することができる。接触抵抗が５０ｍΩ以上１ＭΩ未満の範囲であれば接続端子１３〜２０に導通異物が付着していたり、接点が酸化していたりするなど導通異常状態であると判定することができる。接触抵抗が１ＭΩ以上であれば、接続端子１３〜２０が折れていたり、非導通の異物が付着していたりするなどオープン状態であることを判定することができる。
【００５２】
また、このように導電パターン３１を配置することで、血糖値センサ２の後端を挿入すれば、接続端子１３〜２０の全ての導通が断たれることで、血糖値センサ２の適切な挿入状態を検出することができるようにすることもできる。
【００５３】
このような血糖値センサ２の挿入時において、例えば、人体の静電気が血糖値センサ２に、接続端子１３〜２０を介して制御部７などに流れようとするのを事前に導電パターン３１へと逃がすことで、これらの制御部７などへの影響を防ぐこともできる。
【００５４】
また、枠体１２の背面側には、図７に示すように、血糖値センサ２の挿入を検出する検出スイッチ３２を設け、その前方に配置した操作体３３を血糖値センサ２の後端側で押すことで血糖値センサ２の適切な挿入検出を行うようになっている。
【００５５】
この検出スイッチ３２の挿入検出端子３４、挿入検出端子３５は、枠体１２外に引き出されている。
【００５６】
以上説明したように、本実施の形態においては、生体情報測定用コネクタ１１自身の枠体１２に上面開口部１２ａと下面開口部１２ｂを設けることで、上下金型により、接続端子１３〜２０とセンサ挿入口２１も一体成型されている。
【００５７】
このような構成において、本実施の形態では、枠体１２の上面開口部１２ａに、この上面開口部１２ａの全面を覆う金属製の上面カバー２９を装着した。このことにより、生体情報測定用コネクタ１１の保管時、あるいは、この生体情報測定用コネクタ１１を、生体情報測定装置の接続基板３０上に実装する時に、上面開口部１２ａを介して接続端子１３〜２０部分に異物が侵入することがない。その結果として、接続端子１３〜２０と血糖値センサ２との接続不良の発生を防止することができるものとなる。
【００５８】
（第２の実施の形態）
図１０は、本発明の第２の実施の形態における生体情報測定用コネクタを示すもので、第１の実施の形態における生体情報測定用コネクタと同じ構成については、同じ符号を付して説明を省略する。本実施の形態では、枠体１２の下面開口部１２ｂに動作確認用カバー３６を配置する。つまり、第１の実施の形態において、接続基板３０の上面に設けた導電パターン３１の代わりに、この動作確認用カバー３６を設ける。このため、この動作確認用カバー３６は金属製とし、これをアースラインに接続することとなる。
【００５９】
このように本実施の形態の構成により、簡易な構成によって生体情報測定用コネクタの動作確認が可能となる。
【００６０】
なお、本実施の形態においても、第１の実施の形態と同様に、血糖値センサ２、枠体１２、折曲片２９ａ、上面カバー２９、アース接続片２９ｂ、アースパターン３１ａへと静電気を流すために、上面カバー２９のアース接続片２９ｂはアースパターン３１ａに電気的、機械的に接続されることになる。
【００６１】
（第３の実施の形態）
図１１は、本発明の第３の実施の形態における生体情報測定用コネクタを示し、第１の実施の形態における生体情報測定用コネクタと同じ構成については、同じ符号を付して説明を省略する。本実施の形態では、図１の導電パターン３１にスリットを設けて分割し、接続端子１３〜２０の各端子に対して個々に独立して当接するように、個別の導電パターン３１ｂ〜３１ｉを対向配置している。
【００６２】
このように導電パターン３１ｂ〜３１ｉを配置することで、各接続端子が適切な位置に配置されているか否かを検出することができる。
【００６３】
例えば、接続端子１３に対し導電パターン３１ｂが当接し、接続端子１４に対し導電パターン３１ｃが当接するように配置しているが、血糖値センサ２の挿入操作などにより接続端子１３に変形が発生した場合、接続端子１３が本来当接する導電パターン３１ｂではなく、導電パターン３１ｃに当接していることがある。
【００６４】
このような場合、接続端子１３が導電パターン３１ｂではなく、導電パターン３１ｃと導通するので、この導通を検知することにより、接続端子１３の位置が不適切な位置となっていることを検出することができる。
【００６５】
したがって、血糖値センサ２の接続電極２８に接続端子１３が適切に接続されないことを、血糖値センサ２が生体情報測定用コネクタ１１に挿入される前に検知できるものとなる。
【００６６】
なお、本実施の形態においても、第１の実施の形態と同様に、血糖値センサ２、枠体１２、折曲片２９ａ、上面カバー２９、アース接続片２９ｂ、アースパターン３１ａへと静電気を流す。そのために、上面カバー２９のアース接続片２９ｂは、導電パターン３１ｄと導電パターン３１ｉの外側に設けたアースパターン３１ａに電気的、機械的に接続される。
【００６７】
（第４の実施の形態）
図１２〜図１４は、本発明の第４の実施の形態を示す。本実施の形態では第１の実施の形態で用いた上面カバー２９の接続端子１３〜２０側に、枠体１２への係止片２９ｃを下方に折り曲げて形成している。
【００６８】
つまり、上面カバー２９のセンサ挿入口２１側は、そのアース接続片２９ｂを枠体１２の係止部１２ｈ（図１４）に圧入することで一体化することができるが、上面カバー２９の接続端子１３〜２０側が枠体１２から浮いてしまう惧れがある。
【００６９】
そこで、本実施の形態においては、上面カバー２９の接続端子１３〜２０側に係止片２９ｃを設け、その係止孔２９ｄに枠体１２の係止突起１２ｉを突入させ、これにより上面カバー２９の接続端子１３〜２０側も枠体１２と一体化している。
【００７０】
つまり、上面カバー２９は、実装ノズル吸着面となるので、この上面カバー２９全体が枠体１２と一体化していることが好ましく、その対策として、上述のように、上面カバー２９のセンサ挿入口２１側には、アース接続片２９ｂ、接続端子１３〜２０側には係止片２９ｃを設けたのである。
【００７１】
また、本実施の形態においては、枠体１２の下面側で、左右の辺には、図１３に示すように、位置決め突起１２ｊ、１２ｋを設けている。さらに、図１４に示すように、接続基板３０の導電パターン３１の両側には、貫通孔３７、貫通孔３８を設けている。
【００７２】
つまり、生体情報測定用コネクタ１１を、図１２のように接続基板３０上に実装する際には、枠体１２の位置決め突起１２ｊを接続基板３０の貫通孔３７に突入させる。そして、位置決め突起１２ｋを接続基板３０の貫通孔３８に突入させれば、生体情報測定用コネクタ１１を接続基板３０の適切な位置に実装することができる。
【００７３】
すなわち、上面カバー２９のアース接続片２９ｂをアースパターン３１ａに確実に当接させ、上述した静電気対策が講じられるようにしたものである。
【産業上の利用可能性】
【００７４】
本発明は、生体情報測定用コネクタと、それを用いた生体情報測定装置として、広く活用が期待される。
【符号の説明】
【００７５】
１  本体ケース
２  血糖値センサ
３  センサ装着部
４  表示部
５  電源スイッチ
６  測定部
７  制御部
８  電池
９  メモリ
１０  一時記憶部
１１  生体情報測定用コネクタ
１２  枠体
１２ａ  上面開口部
１２ｂ  下面開口部
１２ｃ  一辺
１２ｄ  他辺
１２ｅ，１２ｆ  左右の辺
１２ｇ  折曲片挿入口
１２ｈ  係止部
１２ｉ  係止突起
１２ｊ，１２ｋ  位置決め突起
１３，１４，１５，１６，１７，１８，１９，２０  接続端子
２１  センサ挿入口
２２  センサ挿入ガイド面
２３，２４，２５，２６，２７，２８  接続電極
２９  上面カバー
２９ａ  折曲片
２９ｂ  アース接続片
２９ｃ  係止片
２９ｄ  係止孔
３０  接続基板
３１  導電パターン
３１ａ  アースパターン
３１ｂ，３１ｃ，３１ｄ，３１ｅ，３１ｆ，３１ｈ，３１ｉ  導電パターン
３２  検出スイッチ
３３  操作体
３４，３５  挿入検出端子
３６  動作確認用カバー
３７，３８  貫通孔
【図１】
2013183281.tif 000003
【図２】
2013183281.tif 000004
【図３】
2013183281.tif 000005
【図４】
2013183281.tif 000006
【図５】
2013183281.tif 000007
【図６】
2013183281.tif 000008
【図７】
2013183281.tif 000009
【図８】
2013183281.tif 000010
【図９】
2013183281.tif 000011
【図１０】
2013183281.tif 000012
【図１１】
2013183281.tif 000013
【図１２】
2013183281.tif 000014
【図１３】
2013183281.tif 000015
【図１４】
2013183281.tif 000016
【国際調査報告】
2013183281.tif 000017
2013183281.tif 000018
2013183281.tif 000019
2013183281.tif 000020